(57)【要約】【課題】ノイズ遮断手段を備える液晶表示装置を提供する。【解決手段】ノイズ遮断手段は透明導電膜がコーティングされた透明フィルムで形成され、光学シート上に透明導電性物質を分散させることにより形成することができる。透明導電性物質はＩＴＯやＩＺＯを利用する。ノイズ遮断手段は拡散板や光学シートとの間に位置することができ、ＬＣＤパネルの下部に位置することができる。従って、バックライトアセンブリのランプに供給される電源から発生されるノイズはＬＣＤパネルから遮断される。ノイズ遮断手段と光学シートは多様な接地手段によりＬＣＤ装置のシャーシと接触する。従って、ノイズ遮断手段と光学シートは接地することにより、電気的に安定させる。これにより、ＬＣＤ装置の表示品質を向上させることができる。【選択図】　　　図２
2004127912.tif 000002
【特許請求の範囲】
【請求項１】
基底面と、前記基底面のエッジから突出した側壁により限定される収納空間を有する収納部と、
前記基底面の上部に配置され光を発生する光源部と、
前記光源部から射出される光の光学的特性を調節するための光調節手段と、
前記光源部から発生するノイズを遮断するためのノイズ遮断手段とを含むことを特徴とするバックライトアセンブリ。
【請求項２】
前記光調節手段は、前記光源部の上部に位置して前記光源部で発生された光を拡散するための光拡散部と、前記光拡散部の上部に位置して前記光拡散部により拡散された光の輝度を向上するための集光部とを含み、前記ノイズ遮断手段は透明導電性部材であることを特徴とする請求項１に記載のバックライトアセンブリ。
【請求項３】
前記透明導電性部材は透明フィルム及び前記透明フィルムの表面に形成された透明導電膜を含むことを特徴とする請求項２に記載のバックライトアセンブリ。
【請求項４】
前記透明導電膜の表面抵抗は１０ｋΩ／ｍ２より小さいことを特徴とする請求項３に記載のバックライトアセンブリ。
【請求項５】
前記透明導電膜の接地表面抵抗は５０ｋΩ／ｍ２より小さいことを特徴とする請求項３に記載のバックライトアセンブリ。
【請求項６】
前記集光部は、前記光拡散部により拡散された光の視野角を狭くすることにより、正面輝度を向上するための複数のプリズムを含み、
前記透明導電性部材は前記光拡散部と前記集光部との間に位置することを特徴とする請求項２に記載のバックライトアセンブリ。
【請求項７】
前記集光部は上部ポリマ、前記上部ポリマと対向する下部ポリマ及び前記上部ポリマと下部ポリマとの間で積層される相異する屈折率を有する複数のフィルムを備え、前記透明導電性部材は前記光拡散部と前記下部ポリマとの間に位置することを特徴とする請求項３に記載のバックライトアセンブリ。
【請求項８】
前記透明導電性部材は前記光拡散部の下部に位置することを特徴とする請求項２に記載のバックライトアセンブリ。
【請求項９】
前記集光部は上部ポリマ、前記上部ポリマと対向する下部ポリマ及び前記上部ポリマと下部ポリマとの間で積層される相異する屈折率を有する複数のフィルムを備え、前記透明導電性部材は上部ポリマの上部に位置することを特徴とする請求項２に記載のバックライトアセンブリ。
【請求項１０】
前記光拡散部を経た光をさらに拡散させるための補助光拡散部を前記集光部下部にさらに含み、前記透明導電性部材は前記光拡散部と前記補助光拡散部との間に位置することを特徴とする請求項２に記載のバックライトアセンブリ。
【請求項１１】
前記集光部は、前記光拡散部により拡散された光の視野角を狭くすることにより、正面輝度を向上するための複数のプリズムを含み、
前記透明導電性部材は前記集光部の基底面にコーティングされた透明導電膜を含むことを特徴とする請求項２に記載のバックライトアセンブリ。
【請求項１２】
前記透明導電膜の表面抵抗は１０ｋΩ／ｍ２より小さいことを特徴とする請求項１１に記載のバックライトアセンブリ。
【請求項１３】
前記透明導電膜の接地表面抵抗は５０ｋΩ／ｍ２より小さいことを特徴とする請求項１１に記載のバックライトアセンブリ。
【請求項１４】
前記集光部は上部ポリマ、前記上部ポリマと対向する下部ポリマ及び前記上部ポリマと下部ポリマとの間で積層される相異する屈折率を有する複数のフィルムを備え、前記透明導電性部材は前記下部ポリマ基底面にコーティングされた透明導電膜を含むことを特徴とする請求項２に記載のバックライトアセンブリ。
【請求項１５】
前記透明導電性部材は前記上部ポリマの上部面にコーティングされた透明導電膜をさらに含むことを特徴とする請求項１４に記載のバックライトアセンブリ。
【請求項１６】
前記透明導電性部材は前記光拡散部の下部面にコーティングされた透明導電膜をさらに含むことを特徴とする請求項２に記載のバックライトアセンブリ。
【請求項１７】
前記透明導電性部材は前記光拡散部の上部面にコーティングされた透明導電膜をさらに含むことを特徴とする請求項１６に記載のバックライトアセンブリ。
【請求項１８】
前記光拡散部を経た光をさらに拡散させるための補助光拡散部を前記集光部の下部にさらに含み、前記透明導電性部材は前記補助光拡散部の基底面にコーティングされた透明導電膜であることを特徴とする請求項２に記載のバックライトアセンブリ。
【請求項１９】
前記透明導電性部材は前記補助光拡散部の上部面にコーティングされた透明導電膜をさらに含むことを特徴とする請求項１８に記載のバックライトアセンブリ。
【請求項２０】
上部基板、液晶層、前記上部基板との合体により前記液晶層を収容し、外部から供給される低電圧により駆動され前記液晶層の配列を変更させる下部基板と、
前記下部基板の下部に形成され外部で発生したノイズを遮断するためのノイズ遮断手段を含むことを特徴とする表示装置用ディスプレーパネル。
【請求項２１】
前記下部基板は、
透明基板と、
前記透明基板上に第１方向に形成されゲート信号を伝達するゲートラインと、
前記透明基板上に前記第１方向と相異する第２方向に形成されデータ信号を伝達するデータラインと、
第１端は前記ゲートラインと連結され、第２端は前記データラインに連結され、前記ゲート信号を基いて前記データ信号の出力を制御するスイッチング素子とを含むことを特徴とする請求項２０に記載の表示装置用ディスプレーパネル。
【請求項２２】
前記ノイズ遮断手段は前記透明基板の背面にコーティングされた透明導電膜であることを特徴とする請求項２１に記載の表示装置用ディスプレーパネル。
【請求項２３】
前記ノイズ遮断手段は８５％以上の透過率と、１０ｋΩ／ｍ２より小さい表面抵抗を有することを特徴とする請求項２０に記載の表示装置用ディスプレーパネル。
【請求項２４】
前記基板の背面に偏光手段をさらに含み、
前記ノイズ遮断手段は前記偏光手段に添加された導電性粒子であることを特徴とする請求項２０に記載の表示装置用ディスプレーパネル。
【請求項２５】
前記ノイズ遮断手段は導電性ポリマシートであることを特徴とする請求項２０に記載の表示装置用ディスプレーパネル。
【請求項２６】
上部基板、液晶層、前記上部基板との合体により前記液晶層を収容し、外部から供給される電圧により駆動され前記液晶層の配列を変更させる下部基板を含むディスプレーパネルと、
ａ）光を発生する光源部、およびｂ）前記光源部から射出される光の光学的特性を調節するための光調節手段を備えるバックライトアセンブリと、
前記光源部で発生されたノイズを遮断して前記ディスプレーパネルに対する電磁気的影響を防止するためのノイズ遮断手段と、
前記バックライトアセンブリと前記ディスプレーパネルを収容するための収納部とを含むことを特徴とする液晶表示装置。
【請求項２７】
前記ノイズ遮断手段は前記ディスプレーパネルの背面に形成される透明導電膜であることを特徴とする請求項２６に記載の液晶表示装置。
【請求項２８】
前記ディスプレーパネルは前記下部基板の下部に位置する偏光手段をさらに含み、前記ノイズ遮断手段は前記偏光手段に添加された導電性粒子であることを特徴とする請求項２６に記載の液晶表示装置。
【請求項２９】
前記光調節手段は、前記光源部の上部に位置して前記光源部で発生された光を拡散するための光拡散部と、前記光拡散部の上部に位置して前記光拡散部により拡散された光の輝度を向上するための集光部とを含み、前記ノイズ遮断手段は透明フィルム及び前記透明フィルムの表面に形成された透明導電膜を含むことを特徴とする請求項２６に記載の液晶表示装置。
【請求項３０】
前記透明導電性部材は前記光拡散部と前記集光部との間に位置することを特徴とする請求項２９に記載の液晶表示装置。
【請求項３１】
前記集光部は上部ポリマ、前記上部ポリマと対向する下部ポリマ及び前記上部ポリマと下部ポリマとの間で積層される相異する屈折率を有する複数のフィルムを備え、前記透明導電性部材は前記光拡散部と前記下部ポリマとの間に位置することを特徴とする請求項２９に記載の液晶表示装置。
【請求項３２】
前記透明導電性部材は前記光拡散部の下部に位置することを特徴とする請求項２９に記載の液晶表示装置。
【請求項３３】
前記集光部は上部ポリマ、前記上部ポリマと対向する下部ポリマ及び前記上部ポリマと下部ポリマとの間で積層される相異する屈折率を有する複数のフィルムを備え、前記透明導電性部材は上部ポリマの上部に位置することを特徴とする請求項２９に記載の液晶表示装置。
【請求項３４】
前記光拡散部を経た光をさらに拡散させるための補助光拡散部をさらに含み、前記透明導電性部材は前記光拡散部と前記補助光拡散部との間に位置することを特徴とする請求項２９に記載の液晶表示装置。
【請求項３５】
前記光調節手段は前記光源部の上部に位置して前記光源部で発生された光を拡散するための光拡散部と前記光拡散部の上部に位置して前記光拡散部により拡散された光の輝度を向上するための集光部とを含み、前記ノイズ遮断手段は前記集光部の基底面にコーティングされた透明導電膜を含むことを特徴とする請求項２６に記載の液晶表示装置。
【請求項３６】
前記集光部は上部ポリマ、前記上部ポリマと対向する下部ポリマ及び前記上部ポリマと下部ポリマとの間で積層される相異する屈折率を有する複数のフィルムを備えることを特徴とする請求項３５に記載の液晶表示装置。
【請求項３７】
前記ノイズ遮断手段は前記上部ポリマの上部面にコーティングされた透明導電膜をさらに含むことを特徴とする請求項３６に記載の液晶表示装置。
【請求項３８】
前記光調節手段は前記光源部の上部に位置して前記光源部で発生された光を拡散するための光拡散部と前記光拡散部の上部に位置して前記光拡散部により拡散された光の輝度を向上するための集光部とを含み、前記ノイズ遮断手段は前記光拡散部の背面に形成された透明導電膜を含むことを特徴とする請求項２６に記載の液晶表示装置。
【請求項３９】
前記ノイズ遮断手段は前記光拡散部の前面に形成された透明導電膜をさらに含むことを特徴とする請求項３８に記載の液晶表示装置。
【請求項４０】
前記光調節手段は前記光源部の上部に位置して前記光源部で発生された光を拡散するための光拡散部と、前記光拡散部を経た光をさらに拡散させるための補助光拡散部と、前記補助光拡散部の上部に位置して前記補助光拡散部により拡散された光の輝度を向上するための集光部とを含み、前記ノイズ遮断手段は前記補助光拡散部の背面に形成された透明導電膜を含むことを特徴とする請求項２６に記載の液晶表示装置。
【請求項４１】
前記ノイズ遮断手段は前記補助光拡散部の前面に形成された透明導電膜をさらに含むことを特徴とする請求項４０に記載の液晶表示装置。
【請求項４２】
前記収納部は基底面と前記基底面のエッジから延びる複数の側壁を備えて、前記基底面と前記複数の側壁により限定される収納空間の内部に前記バックライトアセンブリ及びディスプレーパネルが収容され、前記光調節手段及び前記ノイズ遮断手段は少なくとも一つの前記側壁に電気的に連結されることを特徴とする請求項２６に記載の液晶表示装置。
【請求項４３】
前記ノイズ遮断手段の背面に形成され、前記ノイズ遮断手段の領域のうち、前記下部基板の非有効ディスプレー領域に対応する一部領域が露出されるように開口された偏光手段と、
一端が前記偏光手段の開口された部分を通じて前記ノイズ遮断手段に連結され、他端が前記収納部に電気的に連結され前記ノイズ遮断手段を接地させる連結手段と
をさらに含むことを特徴とする請求項２６に記載の液晶表示装置。
【請求項４４】
前記連結手段を前記収納部に固定する固定手段を備えることを特徴とする請求項４３に記載の液晶表示装置。
【請求項４５】
前記固定手段は導電性クリップまたは導電性スクリューであることを特徴とする請求項４４に記載の液晶表示装置。
【請求項４６】
前記収納部は、
基底面と前記基底面のエッジから延びる複数の側壁により限定される収納空間を通じて前記バックライトアセンブリを収納する第１収納容器と、
互いに連結された複数の側壁と、前記側壁の上部で内側方向に一定長さ延び、前記ディスプレーパネルを前記バックライトアセンブリに固定し、前記ディスプレーパネルの有効ディスプレー領域を露出させるための端ジョー部を備える第２収納容器と
を含むことを特徴とする請求項２６に記載の液晶表示装置。
【発明の詳細な説明】
【０００１】
【発明の属する技術分野】
本発明は液晶表示装置に関するものであり、より詳細には、光源の駆動時に発生するノイズのディスプレーパネルに対する影響を遮断するためのノイズ遮断手段を備える液晶表示装置に関するものである。
【０００２】
【従来の技術】
最近、情報処理装置の技術開発と共に情報処理装置で処理されたデータを使用者が認識できるように、インターフェース機能を有するディスプレー装置の開発を必要とする。
【０００３】
ディスプレー装置として、軽量、小型でありながら、フル−カラー、高解像度などの機能を有する液晶表示装置の開発が進んでいる。具体的に、液晶表示装置は液晶セルの光学的性質の変化を視角変化に変換するディスプレー装置である。このような液晶表示装置は、自ら発光しない受光素子である液晶を利用して映像をディスプレーするために、光を必要とする。従って、液晶表示装置は液晶パネルの後面に取付けられたバックライトアセンブリから光の供給を受けて画像を表示する。
【０００４】
前記バックライトアセンブリは光を発生する光源の位置により直下型とエッジ型に区分される。エッジ型バックライトアセンブリは像を表示するディスプレーパネルの側面にランプを設けて、ランプで発生したた光が導光部を経て前記ディスプレーパネルに供給される構造を有しており、主にラップトップ型及びデスクトップ型コンピュータのように、比較的小さい液晶表示装置に適用される。エッジ型バックライトアセンブリは光の均一性が優れており、耐久寿命が長く、液晶表示装置の薄形化に有利であるという長所を有している。
【０００５】
一方、直下型バックライトアセンブリはディスプレーパネルの下部にランプを設けて、ランプで発生した光が導光部を介さずに、直接ディスプレーパネルに供給される構造を有しており、大型液晶表示装置に主に適用される。直下型バックライトアセンブリは、一般に、ディスプレーパネルの下部に一列に配列される複数のランプが配置され、ディスプレーパネルに全面積に光を照射するように構成されている。従って、直下型バックライトアセンブリはエッジ型バックライトアセンブリに比べて複数個の光源を利用することができて、高い輝度を確保することができるという長所がある。
【０００６】
しかし、前述したような直下型バックライトアセンブリを有する液晶表示装置は次のような問題点がある。
【０００７】
一般に、ディスプレーパネルは薄膜トランジスター基板（以下、ＴＦＴ基板と称する）と、カラーフィルタ基板との間に含まれた液晶により構成される。ＴＦＴ基板のソース部およびゲート部を経て前記ＴＦＴ基板のトランジスターに画像信号が印加されると、画像信号の電圧により液晶の配列が変化し、バックライトアセンブリから供給される光線の透過量が調整されて像を表示する。従って、ディスプレーパネルに印加される電圧は液晶の状態変化を惹起することができれば足りるので、数ボルト乃至数十ボルト程度の大きさを有する。しかし、バックライトアセンブリは蛍光ランプを動作させ光を発生させなければならないので、数百乃至数千ボルトの電圧が印加される。特に、直下型バックライトアセンブリの場合には同時に複数のランプを動作させなければならないので、バックライトアセンブリにはディスプレーパネルと比較して数百乃至数千倍大きい電圧が印加される。
【０００８】
電場の強さは印加される電圧の大きさに比例するので、前記ディスプレーパネルの下部にはディスプレーパネルに形成される電場より数百乃至数千倍の大きさを有する電場が形成される。従って、印加される画像信号を含む前記ディスプレーパネルの電気的特性は、ランプ駆動時に形成される電磁波の影響をうける。画像信号が乱されると、液晶に所望でない電圧が印加され液晶パネルに所望でない画像が表示される。電磁波はランプに印加される電圧により形成される電場やランプの放電過程で発生する電磁気的特性の変化などにより発生する。即ち、ランプの駆動により生じる電磁波の干渉によりディスプレーパネルの電磁気的特性が変化し、表示不良が惹起される。以下では、ディスプレーパネルの電磁気的特性変化を惹起する原因である、ランプの駆動時にバックライトアセンブリで発生する電磁波をノイズ（ｎｏｉｓｅ）と称する。
【０００９】
従って、液晶表示装置はノイズにより表示品質が低下し、特に、ディスプレーパネルの下部で複数のランプを使用する直下型液晶表示装置の場合には、ノイズによる表示品質の低下はさらに激しい。
【００１０】
【発明が解決しようとする課題】
本発明の目的は、光源の駆動に起因するノイズの影響を遮断することができるバックライトアセンブリを提供し、また、外部で発生したノイズの影響を遮断することができるディスプレーパネルを提供することにある。また、光源の駆動に起因するノイズの影響を遮断することができる液晶表示装置を提供することにある。
【００１１】
【発明の解決するための手段】
上述した目的を達成するための本発明によるバックライトアセンブリは、収納空間を有する収納部と、光を発生するための光源部と、光源部から射出される光の光学的特性を調節するための光調節手段と、光源部で発生するノイズを遮断するためのノイズ遮断手段とを含む。収納部は基底面と前記基底面のエッジから突出した側壁により限定される。光源部は基底面の上部に配置される。ここで、ノイズ遮断手段は光源部の駆動により発生するノイズを遮断する。光調節手段は光源部の上部に位置して光源部で発生した光を拡散するための光拡散部と、光拡散部の上部に位置して光拡散部により拡散された光の輝度を向上するための集光部とを含む。望ましくは、バックライトアセンブリは光拡散部を経た光をさらに拡散させるための補助光拡散部を集光部の下部にさらに含む。ここで、ノイズ遮断手段は光拡散部の下部、光拡散部と補助光拡散部との間の空間、補助光拡散部と集光部との間の空間、または集光部の上部に位置する透明導電性部材を含む。また、ノイズ遮断手段は光拡散部の上部面または下部面、前記補助光拡散部の上部面または下部面、または集光部の上部面または下部面にコーティングされる透明導電膜を含む。一実施形態として、透明導電性部材は透明フィルムの表面に透明導電膜を蒸着して形成する。
【００１２】
上述した目的を達成するための本発明によるディスプレーパネルは、上部基板、前記上部基板との間に所定の密閉空間を形成する下部基板、前記密閉空間に注入された液晶、前記下部基板の下部に形成され外部で発生したノイズを遮断するためのノイズ遮断手段を含む。ここで、ノイズ遮断手段は下部基板の背面にコーティングされた透明導電膜で形成することができ、追加的な導電性ポリマシートで形成することもできる。
【００１３】
また、上述した目的を達成するための本発明による液晶表示装置は、画像を表示するディスプレーパネル、前記ディスプレーパネルに光を供給するバックライトアセンブリと、前記バックライトアセンブリで発生されたノイズを遮断してディスプレーパネルに対する電磁気的影響を遮断するためのノイズ遮断手段と、前記ディスプレーパネルとバックライトアセンブリを収納するための収納部とを含む。前記ディスプレーパネルは上部基板、液晶層、前記上部基板との合体により液晶層を収容し、外部から供給される電圧により駆動され、液晶層の配列を変更させる下部基板を含み、ノイズ遮断手段は下部基板の下部に形成される。また、ディスプレーパネルは下部基板の下部に位置する偏光手段をさらに含み、ノイズ遮断手段は偏光手段に添加された導電性粒子で形成することができる。バックライトアセンブリは光を発生する光源部、光源部から射出される光の光学的特性を調節するための光調節手段を備える。前記光調節手段は前記光源部で発生された光を拡散するための光拡散部と、拡散された光の輝度を向上するための集光部を備える。光拡散部はランプ形状の線光源である光源部を面光源として機能させることができ、集光部は光拡散部を経た光を集光してディスプレーパネルに入射される光の正面輝度を向上させる。望ましくは、光調節手段として光拡散部を経た光をさらに拡散させるための補助光拡散部がさらに設けられる。ノイズ遮断手段はノイズを遮断してディスプレーパネルで発生する電磁気的干渉を防止する。一実施形態として、ノイズ遮断手段は透明フィルム及び透明フィルムの表面に形成された透明導電膜を備える透明導電性部材で形成され、光拡散部の下部、光拡散部と補助光拡散部との間の空間、補助光拡散部と集光部との間の空間、または集光部の上部に位置する。また、ノイズ遮断手段は光拡散部の上部面または下部面、補助光拡散部の上部面または下部面、または集光部の上部面または下部面にコーティングされる透明導電膜で形成される。一実施形態として、透明導電膜はＩＴＯ膜またはＩＺＯ膜を含む。
【００１４】
収納部は基底面と前記基底面のエッジから延びた複数の側壁を備え、基底面と複数の側面により限定される収納空間内部にバックライトアセンブリ及びディスプレーパネルが収容される。光調節手段及びノイズ遮断手段は側壁のうちのいずれか一つに電気的に連結される。電気的連結は、直接接触及び導電性連結手段を媒介で間接的連結を含む。連結手段は固定手段により収納部に固定される。
【００１５】
【発明の実施の形態】
以下、図面を参照して本発明の望ましい一実施形態をより詳細に説明する。
【００１６】
図１は、本発明の第１実施形態における、ノイズ遮断手段を備える液晶表示装置を示す分解斜視図である。図２は図１に示した液晶表示装置をＡ−Ａラインに沿って切断した断面図である。
【００１７】
図１に示すように、本発明の第１実施形態による液晶表示装置２００は画像を示すディスプレーパネル２１０、ディスプレーパネル２１０に光を提供するバックライトアセンブリ２２０、及びディスプレーパネル２１０とバックライトアセンブリ２２０とを収納するための収納部を含む。ディスプレーパネル２１０は印加された画像信号により画像を具現する液晶パネル２１１、液晶パネル２１１に画像信号を提供するためのデータ印刷回路基板２１５、ゲート印刷回路基板２１４、データ側テープキャリアパッケージ（以下、ＴＣＰと称する）２１３及びゲート側ＴＣＰ２１２を含む。液晶パネル２１１は、複数のＴＦＴスイッチング素子が配列されたＴＦＴ基板２１１ａ、ＴＦＴ基板２１１ａに対向するカラーフィルタ基板２１１ｂ及びＴＦＴ基板２１１ａとカラーフィルタ基板２１１ｂとの間に注入された液晶（図示せず）を含む。
【００１８】
バックライトアセンブリ２２０は光を発生する光源部２２１、光源部の上部に備えられて光の輝度を調節するための光調節部２２２、及び光源部２２１の下方向に進行する光をディスプレーパネル２１０方向に反射させるための反射プレート２２３及びボトムシャーシ２２４を含む。
【００１９】
光源部２２１は光を発生する複数のランプ２２１ａ、ランプ２２１ａの互いに対向する第１端部及び第２端部に各々設けられたランプホルダー２２１ｂ、第１端部から引き出された第１電極線２２１ｃ、及び第２端部から引き出された第２電極線２２１ｄを含む。第１及び第２電極線２２１ｃ、２２１ｄを通じて電圧が印加されると、ランプ２２１ａで光が発生する。ここで、ランプ２２１ａ駆動のために供給される電圧に起因して電磁波が放出される。
【００２０】
前記第１及び第２電極線２２１ｃ、２２１ｄを電源供給装置（図示せず）に連結するために、第１及び第２電極線２２１ｃ、２２１ｄのうちのいずれか一つを他方の電極線が位置する側までくるように長く形成する。一実施形態として、第１電極線２２１ｃに印加される電源電圧より相対的に低い電源電圧が印加される第２電極線２２１ｄが第１電極線２２１ｃが引き出された側まで延ばされた構造を用いる。ここで、長く延ばされた第２電極線２２１ｄは直下型液晶表示装置２００の画面表示を妨害しないように、反射プレート２２３の背面に配置される。反射プレート２２３とボトムシャーシ２２５との間には第２電極線２２１ｄを収納するための収納空間が形成される。
【００２１】
一実施形態として、光調節部２２２は、光源部２２１から提供される光を拡散するための拡散プレート２２２ａと拡散シート２２２ｂ、拡散された光を集光するためのロープリズムシート２２２ｃとアッパープリズムシート２２２ｄ、プリズムシートを保護するための保護シート２２２ｅ、および、ノイズを遮断するためのノイズ遮断シート２２２ｆを含む。
【００２２】
前記拡散プレート２２２ａは光源部２２１の上部に定着される各種光学シートを支持するためにリジッド（Ｒｉｇｉｄ）タイプからなり、光源部２２１から提供される光を拡散させて拡散シート２２２ｂに提供する。拡散シート２２２ｂは拡散プレート２２２ａ上部に定着され、拡散プレート２２２ａにより拡散された光を再度拡散させる。
【００２３】
前記ノイズ遮断シート２２２ｆは一実施形態として透明な薄いフィルムに導電膜を蒸着して形成され、拡散シート２２２ｂとロープリズムシート２２２ｃとの間に配置され、光源部２２１で発生した電磁波を遮断してディスプレーパネル２１０に電気的に影響を及ぼすことを防止する。一実施形態として、透明導電膜はインジウムティンオキサイド（ＩＴＯ）またはインジウムジンクオキサイド（ＩＺＯ）で形成される。ＩＴＯ膜は透明フィルムの上部及び／下部に蒸着することができる。光源部で発生されたノイズはノイズ遮断シート２２２ｆに吸収されディスプレーパネル２１０での干渉を防止して表示される画像の質を向上させる。
【００２４】
前記ロープリズムシート２２２ｃとアッパープリズムシート２２２ｄは拡散シート２２２ｂから射出された光を集光し、液晶パネル２１１に入射する光の正面輝度を向上させる。拡散シート２２２ｂを通過した光は大きい視野角を有するために、プリズムを利用して視野角を狭くすることにより、正面輝度を高くして消費電力を減少させることができる。
【００２５】
前記保護シート２２２ｅはアッパープリズムシート２２２ｄの上部に配置され、異物質などがアッパープリズムシート２２２ｄに定着することを防止する。
【００２６】
一実施形態として、収納部は、バックライトアセンブリ２２０が収納される第１収納容器であるボトムシャーシ２２４と、ボトムシャーシ２２４の上部に位置してディスプレーパネル２１０を支持する第２収納容器であるモールドフレーム２３０とを含む。
【００２７】
ボトムシャーシ２２４は基底面と、基底面のエッジから突出形成された側壁と、上部面が開口された直方体のボックス形態に形成された収納空間を有する。収納空間の内部面に沿って光の効率を高めるためにランプ２２１ａから射出された光を反射させる反射プレート２２３が配置され、反射プレート２２３の上部に前記複数のランプ２２１ａが並べて設けられる。また、ボトムシャーシ２２４には光源部２２１と一定間隔で離隔して光調節部２２２が定着される。
【００２８】
モールドフレーム２３０は前記ボトムシャーシ２２４の上部面に結合されボトムシャーシ２２４と共に収納部を形成する。モールドフレーム２３０はボトムシャーシ２２４と対応して開口された直方体形状で、互いに連結された複数の側壁と前記側壁の内側面に形成された端ジョー部を含む。端ジョー部の上部面にはディスプレーパネル２１０が支持され、下部面は保護シート２２２ｅと接触しながら、光調節部２２２を固定する。従って、光調節部２２２がボトムシャーシ２２４の上部方向に離脱することが防止される。従って、モールドフレーム２３０により光調節部２２２の上部にディスプレーパネル２１０が定着される。トップシャーシ２４０はモールドフレーム２３０に定着されたディスプレーパネル２１０を固定する。
【００２９】
光調節部２２２及びノイズ遮断シート２２２ｆを前記収納部と電気的に連結されることにより接地し、電気的に安定化させることができる。ここで、光調節部２２２とノイズ遮断シート２２２ｆは収納部と直接接触することもでき、導電性連結手段により間接的に接触することもできる。一実施形態として、導電性連結手段はテープにより形成される。望ましくは、固定手段を利用して収納部に対する固定力を強化することができる。ここで、導電性テープは液晶パネルの有効ディスプレー領域外に取付けられなければならない。グラウンド（接地）処理をする場合には、透明導電膜の表面抵抗は５０ｋΩ／ｍ２より小さいことが望ましく、グラウンド処理しない場合には透明導電膜の表面抵抗は１０ｋΩ／ｍ２より小さいことが望ましい。
【００３０】
本発明の一実施形態による液晶表示装置によると、透明フィルムの上部または下部にコーティングされたＩＴＯ膜を含むノイズ遮断手段を拡散シートの上部に配置することにより、光源部から発生されるノイズを電気的に遮断してディスプレーパネルに及ぼす悪影響を防止することができる。
【００３１】
勿論、上述したノイズ遮断手段を拡散プレートと拡散シートとの間に、またはロープリズムシートとアッパープリズムシートとの間に、またはアッパープリズムシートと保護シートとの間に配置して電気的ノイズ成分を遮断することができる。
【００３２】
以上では、光源部により発生される電気的ノイズを遮断するために導電性物質を透明フィルム上にコーティング処理した実施形態を説明した。しかし、別途の透明フィルムを備えなくても光調節部を利用して電気的ノイズを遮断することができる。以下では、液晶表示装置用バックライトアセンブリについて説明する。
【００３３】
図３は図１に示したバックライトアセンブリの変形実施形態を示す断面図であり、拡散シートの下部面に導電性物質をコーティング処理したバックライトアセンブリを示す。
【００３４】
図３に示すように、前記バックライトアセンブリ３２０は光を発生する光源部３２１、前記光源部３２１の上部に配置される光調節部３２２、および光源部３２１の下部に配置される反射プレート３２３を含む。
【００３５】
前記光源部３２１は複数のランプを備えており、外部で印加される電圧により光を発生する。一実施形態として、光調節部３２２は光源部３２１から提供される光を拡散するための拡散プレート３２２ａと拡散シート３２２ｂ、拡散された光を集光するためのロープリズムシート３２２ｃとアッパープリズムシート３２２ｄ、前記プリズムシートを保護するための保護シート３２２ｅ及びノイズを遮断するためのノイズ遮断手段３２２ｆを含む。
【００３６】
一実施形態として、拡散プレート３２２ａは前記光源部３２１の上部に定着される各種光学シートを支持するためにリジッド（Ｒｉｇｉｄ）タイプからなり、光源部３２１から提供される光を拡散させて拡散シート３２２ｂに提供する。拡散シート３２２ｂは拡散プレート３２２ａ上部に定着され拡散プレート３２２ａにより拡散された光を再度拡散させる。
【００３７】
前記ノイズ遮断手段３２２ｆは、一実施形態として拡散シートの下部面に蒸着またはコーティング処理された透明導電膜で形成され、前記光源部３２１で発生した電磁波が上部に位置するディスプレーパネル（図示せず）に電気的に影響を及ぼすことを遮断する。一実施形態として、透明導電膜はインジウムティンオキサイド（ＩＴＯ）またはインジウムジンクオキサイド（ＩＺＯ）で形成される。ＩＴＯ膜は拡散シートの上部面に蒸着またはコーティングすることができる。
【００３８】
ロープリズムシート３２２ｃとアッパープリズムシート３２２ｄは拡散シート３２２ｂから射出された光を集光させ、液晶パネル（図示せず）に入射する光の正面輝度を向上させる。拡散シート３２２ｂを通過した光は大きな視野角を有するため、プリズムを利用して視野角を狭くすることにより、正面輝度を高くして消費電力を減少させることができる。保護シート３２２ｅはアッパープリズムシート３２２ｄの上部に配置され、異物質などがアッパープリズムシート３２２ｄに付着することを防止する。
【００３９】
また、図面上に図示しないが、導電性物質がコーティング処理された拡散シートの一側面から延びる部分を形成し、導電性テープなどのような接着部材を利用してバックライトアセンブリに備えられるボトムシャーシ（図示せず）などと接触させることにより、グラウンド処理を加えることもできる。グラウンド処理をする場合には、透明導電膜の表面抵抗は５０ｋΩ／ｍ２より小さいことが望ましく、グラウンド処理しない場合には透明導電膜の表面抵抗は１０ｋΩ／ｍ２より小さいことが望ましい。
【００４０】
本発明の一実施形態によるバックライトアセンブリによると、導電性物質を拡散シートの上部面または下部面に蒸着またはコーティング処理することにより、光源部から発生されるノイズを電気的に遮断してディスプレーパネルに及ぼす悪影響を除去することができる。
【００４１】
図４は図１に示したバックライトアセンブリの他の変形実施形態を示す断面図として、拡散プレートの上部面または下部面に導電性物質をコーティング処理したバックライトアセンブリを示す。
【００４２】
図４に示すように、前記バックライトアセンブリ４２０は光を発生する光源部４２１と、前記光源部４２１の上部に配置される光調節部４２２及び光源部４２１の下部に配置される反射プレート４２３を含む。
【００４３】
前記光源部４２１は複数のランプを備えており、外部から印加される電圧により光を発生する。一実施形態として、光調節部４２２は光源部４２１から提供される光を拡散するための拡散プレート４２２ａと拡散シート４２２ｂ、拡散された光を集光するためのロープリズムシート４２２ｃとアッパープリズムシート４２２ｄ、前記プリズムシートを保護するための保護シート４２２ｅ、及びノイズを遮断するためのノイズ遮断手段４２２ｆとを含む。
【００４４】
一実施形態として、拡散プレート４２２ａは前記光源部４２１の上部に定着される各種光学シートを支持するためにリジッド（Ｒｉｇｉｄ）タイプからなり、光源部４２１から提供される光を拡散させて拡散シート４２２ｂに提供する。拡散シート４２２ｂは拡散プレート４２２ａ上部に定着され拡散プレート４２２ａにより拡散された光を再度拡散させる。
【００４５】
前記ノイズ遮断手段４２２ｆは、一実施形態として拡散プレート４２２ａの下部面に蒸着またはコーティング処理された透明導電膜で形成され、前記光源部４２１で発生した電磁波が上部に位置するディスプレーパネル（図示せず）に電気的に影響を及ぼすことを遮断する。一実施形態として、透明導電膜はインジウムティンオキサイド（ＩＴＯ）またはインジウムジンクオキサイド（ＩＺＯ）で形成される。ここで、透明導電膜の表面抵抗は１０ｋΩ／ｍ２より小さいことが望ましい。透明導電膜は拡散プレートの上部面に蒸着またはコーティングすることができる。
【００４６】
前記ロープリズムシート４２２ｃとアッパープリズムシート４２２ｄは拡散シート４２２ｂから射出された光を集光し、液晶パネル（図示せず）に入射する光の正面輝度を向上させる。拡散シート４２２ｂを通過した光は大きい視野角を有するために、プリズムを利用して視野角を狭くすることにより、正面輝度を高くして消費電力を減少させることができる。保護シート４２２ｅはアッパープリズムシート４２２ｄの上部に配置され、異物質などがアッパープリズムシート４２２ｄに付着することを遮断する。
【００４７】
また、図面上に図示せずが、導電性物質がコーティング処理された拡散プレートの一側面から延びる部分を形成し、導電性テープなどのような接着部材を利用してバックライトアセンブリに備えられるボトムシャーシ（図示せず）などと接触させることによりグラウンド処理を行うこともできる。グラウンド処理をする場合には、透明導電膜の表面抵抗は５０ｋΩ／ｍ２より小さいことが望ましく、グラウンド処理しない場合には透明導電膜の表面抵抗は１０ｋΩ／ｍ２より小さいことが望ましい。
【００４８】
本発明の他の実施形態によるバックライトアセンブリによると、導電性物質を拡散プレートの上部面または下部面に蒸着またはコーティング処理することにより、光源部から発生するノイズを電気的に遮断してディスプレーパネルに及ぼす悪影響を除去することができる。
【００４９】
図５は図１に示したバックライトアセンブリの他の変形実施形態を示す断面図であり、輝度強化シートの下部面に導電性物質をコーティング処理したバックライトアセンブリを示す。図６は図５に示した輝度強化シートの一実施形態を示す断面図である。
【００５０】
図５に示すように、前記バックライトアセンブリ５２０は光を発生する光源部５２１と、前記光源部５２１の上部に配置される光調節部５２２及び光源部５２１の下部に配置される反射プレート５２３を含む。
【００５１】
前記光源部５２１は複数のランプを備えており、外部で印加される電圧により光を発生する。光調節部５２２は光源部５２１から提供される光を拡散するための拡散プレート５２２ａ、前記拡散プレート５２２ａの上部に配置される拡散シート５２２ｂ、拡散された光の輝度を強化するための輝度強化シート５２２ｃ、前記輝度強化シートを保護するための保護シート５２２ｄ、及び輝度強化シート５２２ｃの背面に形成されたノイズ遮断部材５２２ｅを含む。
【００５２】
一実施形態として、拡散プレート５２２ａは、前記光源部５２１の上部に定着される各種光学シートを支持するためにリジッド（Ｒｉｇｉｄ）タイプからなり、光源部５２１から提供される光を拡散させて拡散シート５２２ｂに提供する。拡散シート５２２ｂは拡散プレート５２２ａ上部に定着され拡散プレート５２２ａにより拡散された光を再度拡散させる。
【００５３】
前記ノイズ遮断手段５２２ｅは、一実施形態として輝度強化シート５２２ｃの下部面に蒸着またはコーティング処理された透明導電膜、例えば、ＩＴＯ膜またはＩＺＯ膜で形成され、前記光源部４２１で発生した電磁波が上部に位置するディスプレーパネル（図示せず）に電気的に影響を及ぼすことを防止する。透明導電膜は輝度強化シートの上部面に蒸着またはコーティングすることもできる。
【００５４】
輝度強化シート５２２ｃは一実施形態として図６に示したように、相異する屈折率を有して積層された複数のフィルム５２２ｃ１と、複数のフィルムの下部に形成された第１ポリカーボネイト（ｐｏｌｙｃａｒｂｏｎａｔｅ）部材５２２ｃ２と、複数のフィルムの上部に形成された第２ポリカーボネイト部材５２２ｃ３を含む反射偏光フィルムである。ここで、ノイズ遮断手段５２２ｅは第１ポリカーボネイト部材５２２ｃ２の下部または第２ポリカーボネイト部材５２２ｃ３の上部に形成される。
【００５５】
また、図面上に図示せずが、透明導電膜がコーティング処理された輝度強化シートの一側面から伸びる部分を形成し、導電性テープなどのような接着部材を利用してバックライトアセンブリに備えられるボトムシャーシ（図示せず）などと接触させることによりグラウンド処理を行うこともできる。グラウンド処理をする場合には、透明導電膜の表面抵抗は５０ｋΩ／ｍ２より小さいことが望ましく、グラウンド処理しない場合には透明導電膜の表面抵抗は１０ｋΩ／ｍ２より小さいことが望ましい。
【００５６】
本実施形態によると、輝度強化シート５２２ｃの下部面、即ちポリカーボネイト部材５２２ｃ２の背面に蒸着またはコーティングされた透明導電膜をノイズ遮断手段５２２ｅと定義して説明したが、輝度強化シート５２２ｃの上部面、即ち、ポリカーボネイト５２２ｃ３の上部面に透明導電膜が蒸着又はコーティングされたものをノイズ遮断部材として利用することもできる。
【００５７】
また、輝度強化シートの下部に別途に配置され、上部面または下部面にコーティングされた透明導電膜を有する透明フィルムをノイズ遮断部材に利用することができる。望ましくは、液晶パネルに近接するようにノイズ遮断部材を形成して、液晶パネルに及ぼす悪影響を遮断するだけでなく、輝度低下量やカラーシフト量を小さくすることができるように構成する。
【００５８】
図７は本発明の第２実施形態におけるノイズ遮断手段を備える液晶表示装置を示す分解斜視図であり、図８は図７に示した直下型ランプアセンブリを有する液晶表示装置をＢ−Ｂラインに沿って切断した断面図である。
【００５９】
図７及び図８に示すように、本発明の第２実施形態による液晶表示装置６００は画像を示すディスプレーパネル６１０、ディスプレーパネル６１０に光を提供するバックライトアセンブリ６２０、ディスプレーパネル６１０とバックライトアセンブリ６２０を収納するための収納部を含む。ディスプレーパネル６１０は印加された画像信号により画像を表示する液晶パネル６１１、液晶パネル６１１に画像信号を提供するためのデータ印刷回路基板６１５、ゲート印刷回路基板６１４、データ側テープキャリアパッケージ（以下、ＴＣＰと称する）６１３及びゲート側ＴＣＰ６１２を含む。液晶パネル６１１は、複数のＴＦＴスイッチング素子が配列されたＴＦＴ基板６１１ａ、ＴＦＴ基板６１１ａに対向するカラーフィルタ基板６１１ｂ及びＴＦＴ基板６１１ａとカラーフィルタ基板６１１ｂとの間に注入された液晶（図示せず）を含む。
【００６０】
前記ＴＦＴ基板６１１ａの背面には前記バックライトアセンブリ６２０の駆動により発生される電気的ノイズによる影響を遮断するためのノイズ遮断手段６１１ｃが形成される。ノイズ遮断手段６１１ｃの背面にはＴＦＴ基板６１１ａに入射する光の輝度を向上するための第１偏光板６１１ｄが備えられ、カラーフィルタ基板６１１ｂの上部にはカラーフィルタ基板６１１ｂから射出される光の輝度を補強するための第２偏光板６１１ｅが備えられる。ここで、第１偏光板６１１ｄに導電性粒子を分散させることにより、ノイズ遮断手段を第１偏光板６１１ｄと一体に形成することができる。
【００６１】
図９は図７に示したディスプレーパネルの一実施形態を概略的に示す斜視図であり、図１０は図９に示したディスプレーパネルをＣ−Ｃラインに沿って切断した断面図である。
【００６２】
図９に示すように、本発明の実施形態によるディスプレーパネルは透過型パネルとして、ＴＦＴ６１１１ａが上部に形成されたＴＦＴ基板６１１ａ、数μｍ（例えば、５μｍ）間隔の空間をあけてＴＦＴ基板６１１ａと対向するように固定されたカラーフィルタ基板６１１ｂ、カラーフィルタ基板６１１ｂとＴＦＴ基板６１１ａとにより密封された液晶層６１１ｆ、ＴＦＴ基板６１１ａの背面に形成されたノイズ遮断手段６１１ｃ、及び、ＴＦＴ基板６１１ａ及びカラーフィルタ基板６１１ｂの外側に配置された一対の偏光板６１１ｄ、６１１ｅを含む。
【００６３】
一実施形態として、ノイズ遮断手段６１１ｃはＴＦＴ基板６１１ａの背面にコーティングされた透明導電膜で形成される。一実施形態として、透明導電膜はＩＴＯ薄膜またはＩＺＯ薄膜で形成する。また、ノイズ遮断手段６１１ｃは、光透過率が８５％以上を満足し、表面抵抗値が単位面積当り１０ｋΩ／ｍ２以下を満足することが望ましい。ノイズ遮断手段６１１ｃの表面抵抗は、高電圧により発生した電磁波の影響を遮断する一種の負荷として作用する。
【００６４】
ＴＦＴ基板６１１ａの背面にノイズ遮断手段６１１ｃを別途に形成せずに第１偏光板６１１ｄを配置し、第１偏光板６１１ｄに導電性粒子を分散させる方式をによっても、本発明によるノイズ遮断層を実現することができる。
【００６５】
他の実施形態として、ノイズ遮断層はＴＦＴ基板６１１ａの背面に位置する導電性ポリマシート（ｃｏｎｄｕｃｔｉｖｅ　Ｐｏｌｙｍｅｒ　ｓｈｅｅｔ）を含む。ここで、導電性ポリマシートはポリアセチレン（ｐｏｌｙａｃｅｔｙｌｅｎｅ）、ポリアニリン（ｐｏｌｙａｎｉｌｉｎｅ）、ポリカバゾール（ｐｏｌｙｃａｒｂａｚｏｌｅ）、ポリフェニレン（ｐｏｌｙｐｈｅｎｙｌｅｎｅ）、ポリピロール（ｐｏｌｙｐｙｒｒｏｌｅ）及びポリチオフェン（ｐｏｌｙｔｈｉｏｐｅｎｅ）のうちのいずれか一つである。
【００６６】
図９及び図１０に示したように、ＴＦＴ基板６１１ａ上に備えられる複数の透明ピクセル電極６１１２ａはマトリックス状に配置され、照射信号を伝達する各々の照射ライン（ゲート配線）６１１３ａが基盤上に第１方向に形成され、ディスプレー信号を伝達する各々の信号ライン６１１４ａが第１方向と異なる第２方向に形成される。また、照射ライン６１１３ａ及び信号ライン６１１４ａは、透明ピクセル電極６１１２ａの周囲で互いに交差するように形成される。上述した照射信号及びディスプレー信号は各々外部回路に接続された外部入力端子部（図示せず）から入力される。
【００６７】
ＴＦＴ６１１１ａはソース電極、ゲート電極及びドレーン電極からなり、照射ライン６１１３ａと信号ライン６１１４ａとが交差する各々の位置に隣接するように配置され、ドレーン電極が透明ピクセル電極６１１２ａに接続することにより、対応する液晶層６１１ｆに信号電圧を印加するスイッチング素子として使用される。即ち、ＴＦＴ６１１１ａはゲート電極に接続された照射ライン６１１３ａを通じて伝達される照射信号に応答してターンオンし、ソース電極に接続された信号ライン６１１４ａを通じて伝達されるデータ信号を、ドレーン電極を経て透明ピクセル電極６１１２ａに伝達する。
【００６８】
以上では、一つの画素全体が透過領域になり、下部から光の提供を受ける透過型液晶表示パネルを一つの実施形態として説明したが、一つの画素を反射領域と透過領域に各々分割して、反射領域は外部の自然光などのような光を通じてディスプレーし、透過領域は下部のバックライトを通じてディスプレーする反射−透過型液晶表示パネルにも同様に用いることができる。
【００６９】
また、図面上では、ＴＦＴ基板の下部にノイズ遮断層が全面に形成されバックライトアセンブリの駆動により発生される電気的ノイズ成分を遮断することを示した。しかし、一般にランプの電極は高電圧が印加されるホット電極部と上記高電圧より低い低電圧が印加されるコールド電極部とからなり、コールド電極部に対応する領域よりホット電極部に対応する領域でノイズが多く発生する。このような点に鑑みて、ＴＦＴ基板の一部領域にのみノイズ遮断層を形成することができる。勿論、ここで、ＴＦＴ基板に形成されるノイズ遮断層はホット電極部に対向することが望ましい。また、ＴＦＴ基板に形成されるノイズ遮断層の厚さは均一とすることもでき、ホット電極部に近接するほど段々厚く形成することもできる。
【００７０】
図７において、バックライトアセンブリ６２０は、光を発生する光源部６２１、光源部の上部に備えられて光の輝度を調節するための光調節部６２２、光源部６２１の下方向に進行する光をディスプレーパネル６１０方向に反射させるための反射プレート６２３、モールドフレーム６２４、及びボトムシャーシ６２５を含む。
【００７１】
光源部６２１は、光を発生する複数のランプ６２１ａ、ランプ６２１ａの互いに対向する第１端部及び第２端部に各々設けられたランプホルダー６２１ｂ、第１端部から引き出された第１電極線６２１ｃ、第２端部から引き出された第２電極線６２１ｄを含む。第１及び第２電極線６２１ｃ、６２１ｄを通じて電圧が印加されると、ランプ６２１ａで光が発生する。ここで、ランプ６２１ａ駆動のために供給される電圧により電磁波が放出される。第１及び第２電極線６２１ｃ、６２１ｄの構造と機能は第１実施形態による液晶表示装置の第１及び第２電極線２２１ｃ、２２１ｄと同一である。
【００７２】
一実施形態として、光調節部６２２は光源部６２１から提供される光を拡散するための拡散プレート６２２ａと拡散シート６２２ｂ、拡散された光を集光するためのロープリズムシート６２２ｃとアッパープリズムシート６２２ｄ、及び、前記プリズムシートを保護するための保護シート６２２ｅを含む。
【００７３】
拡散プレート６２２ａは光源部６２１の上部に定着される各種光学シートを支持するためにリジッド（Ｒｉｇｉｄ）タイプからなり、光源部６２１から提供される光を拡散させて拡散シート６２２ｂに提供する。拡散シート６２２ｂは拡散プレート６２２ａ上部に定着されて拡散プレート６２２ａにより拡散された光を再度拡散させる。
【００７４】
ロープリズムシート６２２ｃとアッパープリズムシート６２２ｄは拡散シート６２２ｂから射出された光を集光して液晶パネル６１１に入射する光の正面輝度を向上させる。拡散シート６２２ｂを通過した光は大きな視野角を有するので、プリズムを利用して視野角を狭くすることにより、正面輝度を高くして消費電力を減少させることができる。
【００７５】
保護シート６２２ｅはアッパープリズムシート６２２ｄの上部に配置され、異物質などがアッパープリズムシート６２２ｄに付着することを防止する。
【００７６】
一実施形態として、収納部はバックライトアセンブリ６２０が収納される第１収納容器と、第１収納容器の上部に位置してディスプレーパネル６１０を支持する第２収納容器を含む。
【００７７】
一実施形態として、第１収納容器は光調節部６２２を支持するモールドフレーム６２４、及び、モールドフレーム６２４と光源部６２１と反射プレート６２３とを収納するためのボトムシャーシ６２５を備える。
【００７８】
モールドフレーム６２４は複数の側壁により限定される収納空間を備える。一実施形態として、側壁の上端には収納空間の内側方向に向かう端ジョー６２４ａが形成されている。端ジョー部６２４ａ下部の収納空間には光源部６２１と反射プレート６２３が収納され、光調節部６２２は端ジョー部６２４ａの上面で支持され収納される。
【００７９】
ボトムシャーシ６２５は導電性のメタル材質からなり、基底面と前記基底面のエッジから突出した側壁で形成された収納空間を有する。収納空間の内部には、光源部６２１と反射プレート６２３と光調節部６２２とを備えるモールドフレーム６２４が位置する。
【００８０】
一実施形態として、第２収納容器はモールドフレーム６２４の上部面に設けられるミドルシャーシ６３０で形成される。ミドルシャーシ６３０は、モールドフレーム６２４の開口部分と対応する部分が開口され直方体形状に互いに連結された複数の側壁と、前記側壁の内側面に形成された端ジョー部とを含む。端ジョー部の上部面にはディスプレーパネル６１０が支持され、下部面は光調節部６２２と接触しながら光調節部６２２を固定する。従って、光調節部６２２がボトムシャーシ６２５の上部方向に離脱されることが防止される。また、ミドルシャーシ６３０上には、ディスプレーパネル６１０が光調節部６２２の上部に配置されるように、ディスプレーパネル６１０が定着される。トップシャーシ６４０は、導電性のメタル材質で形成され、ボトムシャーシ６２５の外周面と結合され、ミドルシャーシ６３０に定着されたディスプレーパネル６１０を固定する。
【００８１】
本実施形態の場合、ディスプレーパネルの下部に直下型バックライトアセンブリを用いる液晶表示装置を示しているが、導光板を備えるエッジ型バックライトアセンブリを用いた液晶表示装置の場合であっても、光源の駆動により発生するノイズがディスプレーパネルに及ぼす影響を遮断することができる。
【００８２】
前記光調節部及びノイズ遮断層に蓄積される電荷は、別途に備えられる接地手段を通じて放出することができる。後述する図面を参照してノイズ遮断層の多様な接地手段を説明する。なお、別途の接地手段なしに、光調節部及びノイズ遮断層を収納部と直接接触させることにより接地することができる。
【００８３】
図１１はノイズ遮断手段を接地させるための接地手段の一実施形態として、導電性テープを備えるミドルシャーシとディスプレーパネルとの間の結合関係を示す斜視図である。
【００８４】
図１１に示すように、ミドルシャーシ６３０は、内側方向に一定端ジョーを有して延びディスプレーパネル６１１を支持するための第１本体部材６３０ａ、第１本体部材６３０ａが延びる方向とは反対方向に延びる第２本体部材６３０ｂ、互いに接する第１及び第２本体部材６３０ａ、６３０ｂから延びモールドフレーム６２４とボトムシャーシ６２５との間に挿入される第１側壁部材６３０ｃ、及び第１側壁部材６３０ｃが形成された方向とは反対方向に延びてトップシャーシ６４０を支持する第２側壁部材６３０ｄを含む。第１本体部材６３０ａは第１上部面６３０１ａと第１上部面と段差を有するように形成される第２上部面６３０２ａを備える。
【００８５】
第１本体部材６３０ａの一部には、ノイズ遮断層に集積された電荷を排出するための接地手段として所定の厚さ（ｔ）と幅（ｗ）とを有する導電性テープ６３５が、第１上部面６３０１ａ及び第２上部面６３０２ａ上に連続的に位置する。また、第２本体部材６３０ｂと第２側壁部材６３０ｄの一部は、導電性テープ６３５の幅ほど切断され開放領域を形成する。導電性テープは開放領域を貫通した後、折り曲げられて第１側壁部材６３０ｃに沿って延びる。
【００８６】
ノイズ遮断手段６１１ｃとノイズ遮断手段６１１ｃの背面に配置される第１偏光板６１１ｄには、導電性テープ６３５の幅（ｗ）に対応する長さ（ｌ）と所定深さ（ｄ）を有する溝が形成される。従って、ミドルシャーシ６３０の上部にディスプレーパネルが位置する場合、第２上部面６３０２ａに位置する導電性テープ６３５は前記溝に収容され、ノイズ遮断手段６１１ｃの側断面と導電性テープ６３５の側断面とが接触することにより、電子の移動経路が形成される。望ましくは、溝の深さ（ｄ）はＴＦＴ基板６１１ａの非有効ディスプレー領域（図１１においてＩＩと表記）を超えないようにする。従って、導電性テープの追加によりＴＦＴ基板６１１ａの有効ディスプレー領域（図１１においてＩと表記）が縮小されないようにする。
【００８７】
従って、ノイズ遮断手段６１１ｃに集積された電子は側断面を通じて導電性テープ６３５に移動して、金属材質を有するミドルシャーシ６３０を経て最終的にボトムシャーシ６２５に排出される。従って、ノイズ遮断手段６１１ｃに電子が蓄積されることを防止することができ、電荷蓄積によるノイズの影響を防止することができる。
【００８８】
一例として、本実施形態ではノイズ遮断手段６１１ｃを導電性テープ６３５と接続させるために、第１偏光板６１１ｄだけでなく、ノイズ遮断手段６１１ｃの一部領域まで除去したが、第１偏光板６１１ｄのみを除去してノイズ遮断手段６１１ｃを露出させて導電性テープ６３５の上部面とノイズ遮断手段６１１ｃの下部面とを接続させることにより、電荷移動を可能にすることができる。
【００８９】
図１２は図１１に示したミドルシャーシとディスプレーパネルを含む液晶表示装置をＤ−Ｄラインに沿って切断した断面図であり、図１３は図１１に示したミドルシャーシとディスプレーパネルを含む液晶表示装置をＥ−Ｅラインに沿って切断した断面図である。図１４はノイズ遮断手段を接地させるための導電性テープがトップシャーシとボトムシャーシとの間に配された液晶表示装置を示す断面図である。
【００９０】
図１２に示すように、導電性テープが位置しないミドルシャーシ領域では、ＴＦＴ基板６１１ａの背面に位置するノイズ遮断手段６１１ｃ及び第１偏光板６１１ｄは第１本体部材６３０ａの第２上部面６３０２ａにより支持され、下方に位置するランプ６２１ａの駆動により発生するノイズがＴＦＴ基板６１１ａに及ぼす影響を最少化する。一方、図１３に示すように、ノイズ遮断手段６１１ｃの側断面と導電性テープ６３５の側断面が互いに接触する。従って、ノイズ遮断手段６１１ｃに含まれた電子は導電性テープ６３５を経て最終的にボトムシャーシ６２５に排出される。
【００９１】
ここで、図１４に示すように、導電性テープ６３５を、開放領域を貫通した後、ボトムシャーシ６２５に沿って延びるように折り曲げることができる。ここで、ノイズ遮断手段６１１ｃに含まれた電子は導電性テープ６３５を経てボトムシャーシ６２５に直接排出される。
【００９２】
本実施形態の場合、導電性テープはミドルシャーシの上部面に接着されているが、ミドルシャーシを備えていない場合には、一実施形態として導電性テープをモールドフレームの上部面に固定するように構成することもできる。ここで、別途の固定手段を通じてモールドフレームと導電性テープの固定力を強化することができる。一実施形態として、固定手段には固定用クリップやスクリューなどを利用することができる。
【００９３】
図１５は接地手段として導電性クリップを備える液晶表示装置の一部を示す断面図であり、図１６は導電性クリップと導電性スクリューとを備える液晶表示装置の一部を示す断面図である。
【００９４】
図１５に示すように、モールドフレーム７２４の互いに連結された複数の側壁により定義される収納空間に光を生成する光源部７２１、前記光源部７２１で射出された光を反射するための反射プレート７２３、光源部で射出した光の輝度を調節するための光調節部７２２及び画像を形成する液晶パネル７１１が順次に収納される。ここで、光調節部７２２は拡散板と、拡散板の上部に順次に定着される拡散シートと、複数のプリズムシート、保護シートを含む。また、液晶パネル７１１はＴＦＴ基板７１１ａ、カラーフィルタ基板７１１ｂ、ＴＦＴ基板７１１ａとカラーフィルタ基板７１１ｂ間に充填された液晶層（図示せず）、ＴＦＴ基板７１１ａの背面に形成されたノイズ遮断手段７１１ｃ、ノイズ遮断層の背面に形成された第１偏光板７１１ｄ及びカラーフィルタ基板７１１ｂの上部に形成された第２偏光板７１１ｅを含む。
【００９５】
ノイズ遮断手段７１１ｃは光源部７２１で発生したノイズを遮断することにより、液晶パネル７１１に対する電磁気的干渉を防止する。ここで、ノイズ遮断手段７１１ｃに蓄積された電荷が別途の接地手段により排出されることにより、ノイズ遮断手段７１１ｃは電気的に安定する。
【００９６】
一実施形態として、導電性テープ７３５がモールドフレーム７２４の上部に付着されノイズ遮断手段７１１ｃの側面と接触する。導電性テープ７３５はモールドフレーム７２４の上部面との間の接着力により固定される。ここで、光調節部７２２の側断面も同時に導電性テープ７３５に接触するようにして、光調節部も接地することができる。
【００９７】
導電性テープ７３５を固定するための固定用クリップ７６０がモールドフレーム７２４に設けられる。固定用クリップ７６０は、弾性力と導電性が優れる弾性導電性物質で形成され、電荷の移動を円滑にすることができるだけでなく、弾性力により外力に対応する復元力も優れている。一実施形態として、導電性クリップ７６０は固定力を加える第１及び第２翼７６２、７６３と固定力を強化するための側部溝７６１を備える。
【００９８】
モールドフレーム７２４に導電性クリップ７６０が設けられるとき、第１及び第２翼７６２、７６３は、外力により広げられ後、モールドフレーム７２４の上部面及び下部面と各々接触する。従って、弾性力に起因する復元力をモールドフレーム７２４の上部面及び下部面に各々加える。従って、導電性テープ７３５は安定してモールドフレーム７２４に結合され、同時に導電性クリップ７６０とも接触することになる。
【００９９】
モールドフレーム７２４の側面に側部溝７６１に対応する凹部を形成し、側部溝と凹部との間に導電性テープを挿入することにより、摩擦力を利用して固定力をさらに強化させることができる。
【０１００】
モールドフレーム７２４と対向して導電性のメタル材質からなるトップシャーシ７４０が結合されると、トップシャーシ７４０の側壁の内側面は導電性のメタル材質からなる導電性クリップ７６０の本体部と接触された状態を維持する。従って、導電性テープ７３５は導電性クリップ７６０によりトップシャーシ７４０とも電気的に導電された状態を維持する。従って、ノイズ遮断手段７１１ｃに集積された電荷は導電性テープ７３５を経てモールドフレームだけでなく、トップシャーシ７４０にも排出されることができる。
【０１０１】
図１６に示すように、ノイズ遮断手段８１１ｃを接地させるための導電性テープ８３５は、導電性クリップ８６０により固定されるだけでなく、スクリュー８６１によりモールドフレーム８２４にさらに固定されることができる。一実施形態として、スクリュー８６１は導電性物質で形成して電荷の移動を容易にする。
【０１０２】
前記スクリュー８６１はトップシャーシ８４０に形成された締結孔と導電性クリップに形成された締結孔とを貫通してモールドフレーム８２４に形成された締結溝に締結される。従って、導電性テープ８３５は導電性クリップ８６０と導電性スクリュー８６１とによりトップシャーシ８４０及びボトムシャーシ８２５に安定的に連結される。これにより、光調節部及びノイズ遮断手段８１１ｃは安定して収納部に接地される。
【０１０３】
以上説明した本発明の実施形態によると、導電性物質で形成されるノイズ遮断手段をディスプレーパネルの下部やバックライトアセンブリの下部に形成することにより、光源部から発生されるノイズがディスプレーパネルに及ぼす影響を遮断することができる。また、多様な接地手段を通じてノイズ遮断手段を液晶表示装置のシャーシに接地することにより、ノイズ遮断手段を電気的に安定化させることができる。
【０１０４】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【０１０５】
【発明の効果】
本発明によると、光を発生する光源部と、光源部の上部に位置するディスプレーパネルとの間にノイズを遮断することができるノイズ遮断手段を形成して、光源部の駆動により発生されるノイズの影響を減少させることができる。また、ノイズ遮断手段を液晶表示装置の収納部に接地させることにより電気的に安定させることができる。
【図面の簡単な説明】
【図１】本発明の第１実施形態によりノイズ遮断手段を備える液晶表示装置を示す分解斜視図である。
【図２】図１に示した液晶表示装置をＡ−Ａラインに沿って切断した断面図である。
【図３】図１に示したバックライトアセンブリの変形実施形態を示す断面図である。
【図４】図１に示したバックライトアセンブリの他の変形実施形態を示す断面図である。
【図５】図１に示したバックライトアセンブリのまた他の変形実施形態を示す断面図である。
【図６】図５に示した輝度強化シートの一実施形態を示す断面図である。
【図７】本発明の第２実施形態によるノイズ遮断手段を備える直下型液晶表示装置を示す分解斜視図である。
【図８】図７に示した直下型液晶表示装置をＢ−Ｂラインに沿って切断した断面図である。
【図９】図７に示したディスプレーパネルを概略的に示す斜視図である。
【図１０】図９に示したディスプレーパネルをＣ−Ｃラインに沿って切断した断面図である。
【図１１】ノイズ遮断手段を接地させるための導電性テープを備えるミドルシャーシとディスプレーパネル間の結合関係を示す斜視図である。
【図１２】図１１に示したミドルシャーシとディスプレーパネルを含む液晶表示装置をＤ−Ｄラインに沿って切断した断面図である。
【図１３】図１１に示したミドルシャーシとディスプレーパネルを含む液晶表示装置をＥ−Ｅラインに沿って切断した断面図である。
【図１４】ノイズ遮断手段を接地させるための導電性テープがトップシャーシとボトムシャーシとの間に挿入された液晶表示装置を示す断面図である。
【図１５】接地手段として導電性クリップを備える液晶表示装置の一部を示す断面図である。
【図１６】導電性クリップと導電性スクリューを備える液晶表示装置を示す断面図である。
【符号の説明】
２００　　液晶表示装置
２１０　　ディスプレーパネル
２１１　　液晶パネル
２１２　　ゲート側ＴＣＰ
２１３　　データ側ＴＣＰ
２１４　　ゲート印刷回路基板
２１５　　データ印刷回路基板
２２０　　バックライトアセンブリ
２２１、３２１、６２１、７２１、８２１　　光源部
２２２、３２２、６２２、７２２　　光調節部
２２２ａ　　拡散プレート
２２２ｂ　　拡散シート
２２２ｃ　　ロープリズムシート
２２２ｄ　　アッパープリズムシート
２２２ｆ　　ノイズ遮断シート
２２２ｅ　　保護シート
２２４　　ボトムシャーシ
２３０　　モールドフレーム
【図１】
2004127912.tif 000003
【図２】
2004127912.tif 000004
【図３】
2004127912.tif 000005
【図４】
2004127912.tif 000006
【図５】
2004127912.tif 000007
【図６】
2004127912.tif 000008
【図７】
2004127912.tif 000009
【図８】
2004127912.tif 000010
【図９】
2004127912.tif 000011
【図１０】
2004127912.tif 000012
【図１１】
2004127912.tif 000013
【図１２】
2004127912.tif 000014
【図１３】
2004127912.tif 000015
【図１４】
2004127912.tif 000016
【図１５】
2004127912.tif 000017
【図１６】
2004127912.tif 000018